(57)【特許請求の範囲】
【請求項１】
監視装置と複数の伝送路とその伝送路に接続された被監視装置とで構成されたネットワークの被監視装置において、
前記被監視装置は、自装置の状態または前記監視装置から受信したコマンドの実行結果を前記監視装置に通知する通知情報に、自装置の通知情報のフォーマットを示す識別情報を設定する通知情報フォーマット識別情報設定手段を有し、
受信したコマンド処理要求に設定されている前記識別情報で指示されたフォーマットのコマンドを実行し、
受信したコマンド処理要求に設定されている前記識別情報で指示されたフォーマットのコマンドを実行できないとき、自装置で実行可能なフォーマットの識別情報を前記通知情報に設定する
ことを特徴とする被監視装置。
【発明の詳細な説明】
【０００１】
【発明の属する技術分野】
本発明はネットワークの被監視装置及び監視装置に関し、特に、装置の版数が異なる監視装置または被監視装置が混在するネットワークの被監視装置及び監視装置に関する。
【０００２】
【従来の技術】
図１は従来の監視システムの一例のシステム構成図を示す。図１において、伝送路１０上に設けられた伝送装置が被監視装置１１，１２，１３である。これらの被監視装置１１，１２，１３は、伝送路１０とは別回線、または伝送路１０内の所定帯域を使用して監視装置１５と接続され、ネットワークを構成している。被監視装置１１，１２，１３それぞれは通知情報を監視装置１５に通知し、これにより監視装置１５に各被監視装置１１，１２，１３の状態が表示される。
【０００３】
監視装置１５は各被監視装置１１，１２，１３それぞれに対してコマンドの処理要求を行い、このコマンドを実行して各被監視装置１１，１２，１３は監視装置１５に対して実行結果を通知する。また、被監視装置１１，１２，１３は自装置に状態変化が発生したとき、自立的に監視装置１５に対して状態変化を通知する。
【０００４】
【発明が解決しようとする課題】
従来の監視システムにおいて、図１に示す被監視装置１３が、監視装置１５の認識できないフォーマットで通知情報を監視装置１５に通知した場合、監視装置１５ではその被監視装置１３の状態を表示できず、監視を行えない。このため、通知情報の通知項目を追加する場合には、全ての被監視装置１１，１２，１３及び監視装置１５における通知情報の通知フォーマットを変更する必要があり、被監視装置の数が多い場合に膨大な手間と時間がかかるという問題があった。
【０００５】
また、監視装置１５よりコマンドの処理要求を受信する被監視装置は、コマンドのフォーマットが定型でなければ処理を実行できない。ここで、図２に示すように被監視装置１１，１２，１３を監視装置１５，１６で監視する場合、被監視装置１１，１２及び監視装置１５が装置版数（コマンドのフォーマットに対応）がＶ０２であるのに対し、被監視装置１３及び監視装置１６が装置版数がＶ０１である場合、監視装置１６から被監視装置１１にコマンドの処理要求を行っても、フォーマットが異なるためコマンドを実行できない。
【０００６】
このため、コマンドのフォーマットにパラメタを追加／削除する場合には、全ての被監視装置１１，１２，１３及び監視装置１５におけるコマンドフォーマットを変更する必要があり、また、全ての被監視装置１１，１２，１３に関してはこのコマンドのフォーマットを実行するための処理を新規に追加する必要があり、被監視装置の数が多い場合に膨大な手間と時間がかかるという問題があった。
【０００７】
本発明は上記の点に鑑みなされたもので、被監視装置の通知情報の通知項目を追加する場合や監視装置のコマンド処理要求のフォーマットにパラメタを追加／削除する場合の手間及び時間を削減できるネットワークの被監視装置及び監視装置を提供することを目的とする。
【０００８】
【課題を解決するための手段】
請求項１に記載の発明は、監視装置と複数の伝送路とその伝送路に接続された被監視装置とで構成されたネットワークの被監視装置において、
前記被監視装置は、自装置の状態または前記監視装置から受信したコマンドの実行結果を前記監視装置に通知する通知情報に、自装置の通知情報のフォーマットを示す識別情報を設定する通知情報フォーマット識別情報設定手段を有し、
受信したコマンド処理要求に設定されている前記識別情報で指示されたフォーマットのコマンドを実行し、
受信したコマンド処理要求に設定されている前記識別情報で指示されたフォーマットのコマンドを実行できないとき、自装置で実行可能なフォーマットの識別情報を前記通知情報に設定する。
【０００９】
このように、被監視装置は、自装置の状態または監視装置から受信したコマンドの実行結果を監視装置に通知する通知情報に、自装置の通知情報のフォーマットを示す識別情報を設定するため、監視装置では通知情報のフォーマットに合わせて各通知情報を認識することができ、被監視装置の通知情報の通知項目を追加する場合にそのフォーマットを知れば簡単に対応でき、全ての被監視装置及び監視装置における通知情報のフォーマットを変更する必要がなく、被監視装置は、受信したコマンド処理要求に設定されている識別情報で指示されたフォーマットのコマンドを実行するため、コマンドフォーマットの異なる被監視装置に対してコマンド処理要求を発行することが可能となり、また、被監視装置は、受信したコマンド処理要求に設定されている識別情報で指示されたフォーマットのコマンドを実行できないとき、自装置で実行可能なフォーマットの識別情報を前記通知情報に設定するため、監視装置ではその被監視装置の実行可能なコマンド処理要求のフォーマットを認識できる。
【００１８】
【発明の実施の形態】
図３は本発明システムに適応される被監視装置の第１実施例のブロック図を示す。同図中、通信処理部２１は監視装置との通信を行う。コマンド受信部２３は通信処理部２１を介して監視装置から供給されるコマンドの処理要求を受信してコマンド処理部２６に供給する。コマンド処理部２６はコマンド受信部２３から供給されるコマンドに対する処理を実行し、その実行結果の情報を通知処理部２２に供給して通知依頼する。
【００１９】
状態変化検出処理部２５は自装置における状態変化を検出し、状態変化があれば状態変化の情報を通知処理部２２に供給して通知依頼する。通知処理部２２は状態変化検出処理部２５またはコマンド処理部２６から通知依頼があると監視装置に対し通知情報を送信し、送信を行う際には識別情報管理部２４に管理されている通知情報フォーマットの識別子を付加する。識別情報管理部２４には自装置の通知情報フォーマットの識別子等の自装置の識別情報が保持されている。
【００２０】
図４は本発明システムに適応される監視装置の一実施例のブロック図を示す。同図中、通信処理部３１は被監視装置との通信を行う。コマンド送信部３２は通信処理部３１を介してコマンドの処理要求を被監視装置に送信し、送信を行う際には識別情報管理部３７に管理されている通知情報フォーマットの識別子、またはコマンド処理要求フォーマットの識別子を付加する場合がある。
【００２１】
受信処理部３３は通信処理部３１を介して被監視装置から供給される通知情報を受信して表示処理判断部３４に供給すると共に、通知周期監視部３６に対し通知情報の受信通知を行う。表示処理判断部３４は被監視装置から供給される通知情報の識別子により通知情報の表示方法を判別し、表示処理部３５に供給する。表示処理部３５は表示処理判断部３４で判断された方法で通知情報の表示を行う。識別情報管理部３７には自装置の識別情報が保持されており、通知周期監視部３６は被監視装置からの通知情報の通知時間を監視する。
【００２２】
図５は本発明の監視システムの第１実施例のシステム構成図を示す。図５において、伝送路４０上に設けられた伝送装置が被監視装置４１，４２，４３である。これらの被監視装置４１，４２，４３は、伝送路４０とは別回線または伝送路４０内の所定帯域を使用して監視装置４５と接続され、ネットワークを構成している。被監視装置４１，４２，４３それぞれは、自装置で状態変化が発生すると、図６に示すフォーマットの通知情報を監視装置４５に通知する。
【００２３】
図６に示す通知情報おいて、被監視装置番号には、通知を行う被監視装置の装置番号（４１，４２，４３等）が設定される。識別情報格納部には、フォーマット識別子が設定される。本実施例ではフォーマット識別子としてバージョン情報（Ｖ０１，Ｖ０２等）を用いる。詳細情報には状態変化有無、警報発生、復旧、コマンド実行結果等の詳細情報が設定される。この詳細情報は、被監視装置によってフォーマットが異なっている。
【００２４】
図５においては、被監視装置４１は被監視装置番号に４１、識別情報格納部Ｆ１にＶ０２、詳細情報に運用：通常、障害：軽度、制御：無しをそれぞれ設定して送信する。被監視装置４２は被監視装置番号に４２、識別情報格納部Ｆ２にＶ０２、詳細情報に運用：通常、障害：重度、制御：有りをそれぞれ設定して送信する。被監視装置４３は被監視装置番号に４３、識別情報格納部Ｆ３にＶ０１、詳細情報に運用：通常、制御：有り、障害：無しをそれぞれ設定して送信する。これにより監視装置４５に各被監視装置４１，４２，４３の状態が表示される。
【００２５】
このように、被監視装置は、自装置の状態を監視装置に通知する通知情報に、自装置の通知情報のフォーマットを示す識別情報を設定するため、監視装置では通知情報のフォーマットに合わせて各通知情報を認識することができ、被監視装置の通知情報の通知項目を追加する場合にそのフォーマットを知れば簡単に対応でき、全ての被監視装置及び監視装置における通知情報のフォーマットを変更する必要がない。
【００２６】
また、監視装置４５は図７に示すコマンド処理要求フォーマットのコマンドをを被監視装置４１，４２，４３に対して発行する。図７に示すコマンドにおいて、被監視装置番号には、監視装置４５がコマンド処理要求を行う被監視装置の装置番号（４１，４２，４３等）が設定される。識別情報格納部には、コマンド処理要求のフォーマット識別子が設定される。本実施例ではコマンド処理要求のフォーマット識別子としてバージョン情報（Ｖ０１，Ｖ０２等）を用いる。コマンド種別には、情報収集コマンドや折り返し制御コマンド等のコマンドの種別が設定される。パラメタには、例えば実装位置、設定／解除等のコマンド毎に異なるパラメタが設定され、コマンドによってはパラメタ無しの場合もある。
【００２７】
図８に示す本発明の監視システムの第２実施例では、監視装置４５は被監視装置番号で被監視装置４１を指定した情報収集コマンドを送信し、被監視装置番号で被監視装置４３を指定した情報収集コマンドを送信する。これにより、被監視装置４１は情報収集コマンドを実行して、被監視装置番号に４１、識別情報格納部Ｆ１にＶ０２、詳細情報に運用：通常、障害：軽度、制御：無しを設定して監視装置４５に通知する。また、被監視装置４３は情報収集コマンドを実行して、被監視装置番号に４３、識別情報格納部Ｆ３にＶ０１、詳細情報に運用：通常、制御：有り、障害：無しを設定して監視装置４５に通知する。監視装置４５では受信した各通知情報の識別情報格納部の内容により各通知情報のフォーマットを識別して表示を行う。
【００２８】
このように、被監視装置は、監視装置から受信したコマンドの実行結果を前記監視装置に通知する通知情報に、自装置の通知情報のフォーマットを示す識別情報を設定するため、監視装置では通知情報のフォーマットに合わせて各通知情報を認識することができ、被監視装置の通知情報の通知項目を追加する場合にそのフォーマットを知れば簡単に対応でき、全ての被監視装置及び監視装置における通知情報のフォーマットを変更する必要がない。
【００２９】
図９に示す本発明の監視システムの第３実施例では、監視装置４５は所望の通知情報のバージョンがＶ０２であるとき、被監視装置番号で被監視装置４１を指定し、識別情報格納部でＶ０２を指定した情報収集コマンドを送信すると共に、被監視装置番号で被監視装置４３を指定し、識別情報格納部でＶ０２を指定した情報収集コマンドを送信する。これにより、被監視装置４１は情報収集コマンドが実行可能であればこれを実行して、被監視装置番号に４１、識別情報格納部Ｒ１にＶ０２、詳細情報に運用：通常、障害：軽度、制御：無しを設定して監視装置４５に通知する。また、被監視装置４３は情報収集コマンドが実行可能であればこれを実行して、被監視装置番号に４３、識別情報格納部Ｒ３にＶ０２、詳細情報に運用：通常、障害：無し、制御：有りを設定して監視装置４５に通知する。監視装置４５では受信した各通知情報の識別情報格納部の内容により各通知情報のフォーマットを識別して表示を行う。この実施例では、各被監視装置が返送する通知情報のフォーマットを監視装置４５から指定している。
【００３０】
このように、監視装置は被監視装置に送信するコマンド処理要求に、コマンドの実行結果の通知情報のフォーマットを示す識別情報を設定するため、監視装置では複数のフォーマットの通知情報をサポートしなくても、複数の被監視装置からの通知情報を認識することが可能となる。また、被監視装置は、受信したコマンド処理要求に設定されている識別情報で指示されたフォーマットのコマンド実行結果の通知情報を通知するため、監視装置では複数のフォーマットの通知情報をサポートしなくても、複数の被監視装置からの通知情報を認識することが可能となる。
【００３１】
図１０に示す本発明の監視システムの第４実施例では、監視装置４５は被監視装置４１，４３での処理してほしいバージョンがＶ０３であるとき、被監視装置番号で被監視装置４１を指定し、識別情報格納部でＶ０３を指定し、パラメタ１，２を持つコマンドＡを送信すると共に、被監視装置番号で被監視装置４３を指定し、識別情報格納部でＶ０３を指定し、パラメタ１，２を持つコマンドＡを送信する。これにより、被監視装置４１は情報収集コマンドが実行不可能であれば、被監視装置番号に４１、識別情報格納部に自装置で実行可能な識別情報であるＶ０２、詳細情報に異常終了を設定して監視装置４５に通知する。
【００３２】
上記実施例で各被監視装置が実行する処理の第１実施例のフローチャートを図１１に示す。同図中、被監視装置はステップＳ１０で受信したコマンドのコマンド種別を用いて該当するコマンド処理を決定する。ステップＳ１２では受信したコマンドがコマンドＡか否かを判別し、受信したコマンドがコマンドＡであればステップＳ１４で受信したコマンドの識別情報格納部の内容（コマンド処理要求のフォーマット識別子）Ｃｎが、自装置の受付可能フォーマット識別情報Ｌ１と一致するか否かを判別する。
【００３３】
ここで、一致すればステップＳ１６に進んでフォーマット識別情報Ｌ１の処理（例えばバージョンＶ０１の処理）を実行し、ステップＳ１８で実行結果を通知情報に設定して、この処理サイクルを終了する。一致しなければステップＳ２０等で受信したコマンドの識別情報格納部の内容Ｃｎが、自装置の受付可能フォーマット識別情報Ｌ２〜Ｌｍそれぞれと一致するか否かを順次判別し、例えば自装置の受付可能フォーマット識別情報Ｌｍと一致したときは、ステップＳ２２でフォーマット識別情報Ｌｍの処理（例えばバージョンＶｍの処理）を実行してステップＳ１８に進む。
【００３４】
一方、ステップＳ１２で受信したコマンドがコマンドＡでない場合はステップＳ３２に進み、受信したコマンドがコマンドＢか否かを判別し、受信したコマンドがコマンドＢであればステップＳ３４で受信したコマンドの識別情報格納部の内容（コマンド処理要求のフォーマット識別子）Ｃｎが、自装置の受付可能フォーマット識別情報Ｌ１と一致するか否かを判別する。
【００３５】
ここで、一致すればステップＳ３６に進んでフォーマット識別情報Ｌ１の処理を実行し、ステップＳ１８で実行結果を通知情報に設定して、この処理サイクルを終了する。一致しなければステップＳ４０等で受信したコマンドの識別情報格納部の内容Ｃｎが、自装置の受付可能フォーマット識別情報Ｌ２〜Ｌｍそれぞれと一致するか否かを順次判別し、例えば自装置の受付可能フォーマット識別情報Ｌｍと一致したときは、ステップＳ４２でフォーマット識別情報Ｌｍの処理を実行してステップＳ１８に進む。
【００３６】
受信したコマンドが何かの判別は、自装置に登録されているコマンドの種別数だけ行われ、自装置に登録されているコマンドのいずれでもない場合にはステップＳ５２からステップＳ５４に進んで処理ｘ（例えばノーオペレーション）を実行してステップＳ１８に進み、この処理サイクルを終了する。
図１０において、被監視装置４３は情報収集コマンドが実行不可能であれば、被監視装置番号に４３、識別情報格納部にＶ０３、詳細情報に正常終了を設定して監視装置４５に通知する。なお、監視装置４５では受信した各通知情報の表示を行う。
【００３７】
このように、監視装置は被監視装置に送信するコマンド処理要求にコマンド処理要求のフォーマットを示す識別情報を設定するため、コマンドフォーマットの異なる被監視装置に対してコマンド処理要求を発行することが可能となり、被監視装置はコマンド処理要求のフォーマットにパラメタを追加／削除された場合に新たなコマンド処理を追加することなく対応することができ、追加の手間及び時間を削減できる。また、被監視装置は、受信したコマンド処理要求に設定されている識別情報で指示されたフォーマットのコマンドを実行するため、コマンドフォーマットの異なる被監視装置に対してコマンド処理要求を発行することが可能となる。
【００３８】
上記実施例で各被監視装置が実行する処理の第２実施例のフローチャートを図１２に示す。同図中、図１１と同一部分には同一符号を付す。図１２において、被監視装置はステップＳ１０で受信したコマンドのコマンド種別を用いて該当するコマンド処理を決定する。ステップＳ１２では受信したコマンドがコマンドＡか否かを判別し、受信したコマンドがコマンドＡであればステップＳ１４で受信したコマンドの識別情報格納部の内容（コマンド処理要求のフォーマット識別子）Ｃｎが、自装置の受付可能フォーマット識別情報Ｌ１と一致するか否かを判別する。
【００３９】
ここで、一致すればステップＳ１６に進んでフォーマット識別情報Ｌ１の処理（例えばバージョンＶ０１の処理）を実行し、ステップＳ１７で実行結果を通知情報に設定して、この処理サイクルを終了する。一致しなければステップＳ２０等で受信したコマンドの識別情報格納部の内容Ｃｎが、自装置の受付可能フォーマット識別情報Ｌ２〜Ｌｍそれぞれと一致するか否かを順次判別し、例えば自装置の受付可能フォーマット識別情報Ｌｍと一致したときは、ステップＳ２２でフォーマット識別情報Ｌｍの処理（例えばバージョンＶｍの処理）を実行し、ステップＳ１８に進んで実行結果を通知情報に設定して、この処理サイクルを終了する。更に、受信したコマンドの識別情報格納部の内容Ｃｎが、自装置の受付可能フォーマット識別情報Ｌ２〜Ｌｍそれぞれと一致しない場合には、ステップＳ２４からステップＳ２６に進み、通知情報の識別情報格納部に自装置が受付可能なコマンドフォーマットの識別子を設定し、ステップＳ２７で通知情報の詳細情報に異常終了設定して、この処理サイクルを終了する。
【００４０】
一方、ステップＳ１２で受信したコマンドがコマンドＡでない場合はステップＳ３２に進み、受信したコマンドがコマンドＢか否かを判別し、受信したコマンドがコマンドＢであればステップＳ１４〜Ｓ２７と同様の処理を行う。
受信したコマンドが何かの判別は、自装置に登録されているコマンドの種別数だけ行われ、自装置に登録されているコマンドのいずれでもない場合にはステップＳ５２からステップＳ５６に進んで異常処理を実行し、ステップＳ５７で通知情報の詳細情報に未サポートコマンド等を設定して、この処理サイクルを終了する。
【００４１】
図１３は、図１０の実勢例で使用される被監視装置の第２実施例のブロック図を示す。同図中、図３と同一部分には同一符号を付す。図１３において、通信処理部２１は監視装置との通信を行う。コマンド受信部２３は通信処理部２１を介して監視装置から供給されるコマンドの処理要求を受信してコマンド処理部２６及び通知情報編集部２７に供給する。コマンド処理部２６はコマンド受信部２３から供給されるコマンドに対する処理を実行し、その実行結果の情報を通知情報編集部２７に供給する。
【００４２】
状態変化検出処理部２５は自装置における状態変化を検出し、状態変化があれば状態変化の情報を通知情報編集部２７に供給する。通知情報編集部２７は状態変化検出処理部２５またはコマンド処理部２６から通知された情報に識別情報管理部２４に保持されている識別子を用いて通知情報の編集を行い、この通知情報を通知処理部２２に供給して通知依頼する。
【００４３】
通知処理部２２は通知依頼があると監視装置に対し通知情報を送信し、送信を行う際には識別情報管理部２４に管理されている通知情報フォーマットの識別子を付加する。識別情報管理部２４には自装置の通知情報フォーマットの識別子等の自装置の識別情報が保持されている。
このように、被監視装置は、受信したコマンド処理要求に設定されている識別情報で指示されたフォーマットのコマンドを実行できないとき、自装置で実行可能なフォーマットの識別情報を前記通知情報に設定するため、監視装置ではその被監視装置の実行可能なコマンド処理要求のフォーマットを認識できる。
【００４４】
次に、監視装置４５が被監視装置から通知情報を受信したときに実行する表示処理の第１実施例のフローチャートを図１４に示す。同図中、監視装置はステップＳ６０で受信した通知情報の識別情報格納部に設定されているフォーマット識別子Ｆｎを表示処理判断部３４に格納されている表示処理判断テーブルとマッチングして該当する表示処理を決定する。ここで、表示処理判断テーブルは図１５に示すように、表示処理部３５の実行する表示処理Ｓ１〜Ｓｘに対応して、それぞれの識別情報（バージョン番号）が登録されている。
【００４５】
ステップＳ６２では表示処理判断テーブルの表示処理１の識別情報Ｓ１と、受信した通知情報のフォーマット識別子Ｆｎとが一致するか否かを判別し、一致した場合はステップＳ６４で表示処理１を実行する。不一致の場合はステップＳ６６で表示処理判断テーブルの表示処理２の識別情報Ｓ２と、受信した通知情報のフォーマット識別子Ｆｎとが一致するか否かを判別し、一致した場合はステップＳ６８で表示処理２を実行する。不一致の場合はステップＳ７０で表示処理判断テーブルの表示処理３の識別情報Ｓ３と、受信した通知情報のフォーマット識別子Ｆｎとが一致するか否かを判別し、一致した場合はステップＳ７２で表示処理３を実行する。以下同様にして、ステップＳ８０では表示処理判断テーブルの表示処理ｘの識別情報Ｓｘと、受信した通知情報のフォーマット識別子Ｆｎとが一致するか否かを判別し、一致した場合には、ステップＳ８２で表示処理ｘを実行し、いずれとも一致しない場合にはそのまま処理を終了する。
【００４６】
このように、監視装置は、通知情報の内容を、通知情報の識別情報に基づいて表示するため、被監視装置から受信した各種のフォーマットの通知情報を表示することが可能となる。
監視装置４５が被監視装置から通知情報を受信したときに実行する表示処理の第２実施例のフローチャートを図１６に示す。同図中、監視装置はステップＳ９０で受信した通知情報の通知種別毎に、識別情報格納部に設定されているフォーマット識別子Ｆｎを表示処理判断部３４に格納されている表示処理判断テーブルとマッチングして該当する表示処理を決定する。
【００４７】
ここで、表示処理判断テーブルは、図１７（Ａ）、（Ｂ），（Ｃ）に示すように通知種別毎に分離されており、それぞれで表示処理部３５の実行する表示処理Ｓ１〜Ｓｘに対応して、それぞれの識別情報（バージョン番号）が登録されている。なお、例えば図１７（Ａ）の通知種別Ｋ１は障害、図１７（Ｂ）の通知種別Ｋ２は制御、図１７（Ｃ）の通知種別Ｋ３は運用である。
【００４８】
ステップＳ９２では表示処理判断テーブルの通知種別Ｋ１と、受信した通知情報の詳細情報の通知種別Ｔｎとが一致するか否かを判別し、一致した場合はステップＳ９４で図１７（Ａ）の表示処理判断テーブルを用いて、図１４の処理を実行する。不一致の場合はステップＳ９６で表示処理判断テーブルの通知種別Ｋ２と、受信した通知情報の詳細情報の通知種別Ｔｎとが一致するか否かを判別し、一致した場合はステップＳ９８で図１７（Ｂ）の表示処理判断テーブルを用いて、図１４の処理を実行する。以下同様にして、ステップＳ１００で表示処理判断テーブルの通知種別Ｋ３と、受信した通知情報の詳細情報の通知種別Ｔｎとが一致するか否かを判別し、一致した場合はステップＳ１０２で図１７（Ｃ）の表示処理判断テーブルを用いて、図１４の処理を実行する。受信した通知情報の詳細情報の通知種別Ｔｎが、いずれとも一致しない場合にはそのまま処理を終了する。
【００４９】
このように、監視装置は、通知情報の内容を、通知情報の識別情報及び通知種別に基づいて表示するため、被監視装置から受信した各種のフォーマット及び通知種別の通知情報を表示することが可能となる。
なお、通知処理部２２，識別情報管理部２４が通知情報フォーマット識別情報設定手段に対応し、コマンド送信部３２，識別情報管理部３７がコマンド処理要求フォーマット識別情報設定手段に対応する。
【００５０】
【発明の効果】
上述の如く、請求項１に記載の発明によれば、被監視装置は、自装置の状態または監視装置から受信したコマンドの実行結果を監視装置に通知する通知情報に、自装置の通知情報のフォーマットを示す識別情報を設定するため、監視装置では通知情報のフォーマットに合わせて各通知情報を認識することができ、被監視装置の通知情報の通知項目を追加する場合にそのフォーマットを知れば簡単に対応でき、全ての被監視装置及び監視装置における通知情報のフォーマットを変更する必要がなく、被監視装置は、受信したコマンド処理要求に設定されている識別情報で指示されたフォーマットのコマンドを実行するため、コマンドフォーマットの異なる被監視装置に対してコマンド処理要求を発行することが可能となり、また、被監視装置は、受信したコマンド処理要求に設定されている識別情報で指示されたフォーマットのコマンドを実行できないとき、自装置で実行可能なフォーマットの識別情報を前記通知情報に設定するため、監視装置ではその被監視装置の実行可能なコマンド処理要求のフォーマットを認識できる。
【図面の簡単な説明】
【図１】従来の監視システムの一例のシステム構成図である。
【図２】従来の監視システムの一例のシステム構成図である。
【図３】本発明システムに適応される被監視装置の第１実施例のブロック図である。
【図４】本発明システムに適応される監視装置の一実施例のブロック図である。
【図５】本発明の監視システムの第１実施例のシステム構成図である。
【図６】通知情報フォーマットを示す図である。
【図７】コマンド処理要求フォーマットを示す図である。
【図８】本発明の監視システムの第２実施例のシステム構成図である。
【図９】本発明の監視システムの第３実施例のシステム構成図である。
【図１０】本発明の監視システムの第４実施例のシステム構成図である。
【図１１】各被監視装置が実行する処理の第１実施例のフローチャートである。
【図１２】各被監視装置が実行する処理の第２実施例のフローチャートである。
【図１３】被監視装置の第２実施例のブロック図である。
【図１４】監視装置が被監視装置から通知情報を受信したときに実行する表示処理の第１実施例のフローチャートである。
【図１５】表示処理判断テーブルを示す図である。
【図１６】監視装置が被監視装置から通知情報を受信したときに実行する表示処理の第１実施例のフローチャートである。
【図１７】表示処理判断テーブルを示す図である。
【符号の説明】
２１  通信処理部
２２  通知処理部
２３  コマンド受信部
２４  識別情報管理部
２５  状態変化検出処理部
２６  コマンド処理部
２７  通知情報編集部
３１  通信処理部
３２  コマンド送信部
３３  受信処理部
３４  表示処理判断部
３５  表示処理部
３６  通知周期監視部
３７  識別情報管理部
４０  伝送路
４１，４２，４３  被監視装置
４５  監視装置
【図１】
0003614682.tif 000002
【図２】
0003614682.tif 000003
【図３】
0003614682.tif 000004
【図４】
0003614682.tif 000005
【図５】
0003614682.tif 000006
【図６】
0003614682.tif 000007
【図７】
0003614682.tif 000008
【図８】
0003614682.tif 000009
【図９】
0003614682.tif 000010
【図１０】
0003614682.tif 000011
【図１１】
0003614682.tif 000012
【図１２】
0003614682.tif 000013
【図１３】
0003614682.tif 000014
【図１４】
0003614682.tif 000015
【図１５】
0003614682.tif 000016
【図１６】
0003614682.tif 000017
【図１７】
0003614682.tif 000018